(57)【要約】【課題】昇降五徳を手で持たずに昇降可能とすると共に、最も上昇した位置と最も下降した位置とでそれぞれ水平姿勢で保持可能とし、これにより天板の清掃を容易且つ即座に行なえるようにすること。【解決手段】バーナー部１に配置される昇降五徳２と、昇降五徳２を水平姿勢のままで上下動可能とすると共に最も上昇した位置と最も下降した位置とで各々保持するための昇降機構４とを具備した昇降五徳付きコンロである。【選択図】        図１
2004245553.tif 000002
【特許請求の範囲】
【請求項１】
バーナー部に配置される昇降五徳と、前記昇降五徳を水平姿勢のままで上下動可能とすると共に最も上昇した位置と最も下降した位置とで各々保持するための昇降機構とを具備することを特徴とする昇降五徳付きコンロ。
【請求項２】
前記バーナー部に、鍋底温度を測定する上下動可能な鍋底センサーと、鍋底センサーの高さ検知を行なうセンサー高さ検知装置とが設けられ、鍋底センサーが下がっている時には昇降五徳を上昇不能となるように構成したことを特徴とする請求項１記載の昇降五徳付きコンロ。
【請求項３】
前記昇降五徳に鍋底センサーを外側から囲むように遮熱壁を設けたことを特徴とする請求項２記載の昇降五徳付きコンロ。
【請求項４】
前記昇降五徳の高さ検知を行なう五徳高さ検知装置を備え、昇降五徳が所定高さにある時のみバーナー部を燃焼可能とすることを特徴とする請求項１乃至請求項３のいずれかに記載の昇降五徳付きコンロ。
【請求項５】
前記昇降五徳は、放射状に延出した爪部の先端部分に下向きに突出した脚部を備え、昇降五徳の下降時において前記脚部の下端をバーナー部周辺の天板部分で支持可能としたことを特徴とする請求項１乃至請求項４のいずれかに記載の昇降五徳付きコンロ。
【請求項６】
前記昇降五徳の脚部に天板部分との衝撃を緩和する緩衝部材を取り付けたことを特徴とする請求項５記載の昇降五徳付きコンロ。
【請求項７】
前記昇降五徳にやけどを防止する部材を取り付けたことを特徴とする請求項１乃至請求項６のいずれかに記載の昇降五徳付きコンロ。
【発明の詳細な説明】
【０００１】
【発明の属する技術分野】
本発明は、昇降五徳付きコンロに関し、詳しくは昇降五徳を水平姿勢のままで上下動可能とし且つ最も上がった位置と最も下がった位置とで昇降五徳を保持できるようにした技術に関するものである。
【０００２】
【従来の技術】
従来、システムキッチン等に組み込んで使用される五徳付きコンロとして、例えば図１０に示すように、バーナー部１の外周部の天板３上に回動五徳２’を配置すると共に、この回動五徳２’をヒンジ部５０を中心に上方に回動可能に軸支し、回動五徳２’の先端部５１が上向きとなるように回動五徳２’を垂直に立てることで、天板３の清掃を容易に行えるようにしたものが知られている（例えば、特許文献１参照）。
【０００３】
【特許文献１】
特開２０００−３５２２３号公報
【０００４】
【発明が解決しようとする課題】
ところで、調理油や煮汁等がふきこぼれた場合、煮汁等は熱によりこびり付いて時間の経過とともに取り除くことが困難となる。従来では、回動五徳２’全体が完全に冷えてしまうまでは回動五徳２’を手でつかんで上方に回動させることができないため、冷めて天板３にこびりついてしまった後でしか天板３の清掃ができないという問題があった。
【０００５】
本発明は、前記の従来例の問題点に鑑みて発明したものであって、その目的とするところは、昇降五徳を手で持たずに昇降可能とすると共に最も上昇した位置と最も下降した位置とで各々保持できるようにし、これにより天板の清掃を容易且つ即座に行なえるようにした昇降五徳付きコンロを提供することにあり、他の目的とすところは、使用時における安全性を向上させることができ、また、鍋底センサーの検知精度を高めることができ、また、昇降五徳の下降時の安定性を高めることができ、また、昇降五徳を最も下げた時に脚部と天板との衝撃による天板の損傷を防止できると共に騒音を防止でき、さらに、バーナー部周辺の清掃時に手のやけどを回避できる昇降五徳付きコンロを提供することにある。
【０００６】
【課題を解決するための手段】
前記課題を解決するために請求項１記載の発明に係る昇降五徳付きコンロは、バーナー部に配置される昇降五徳と、前記昇降五徳を水平姿勢のままで上下動可能とすると共に最も上昇した位置と最も下降した位置とで各々保持するための昇降機構とを具備することを特徴とする。
【０００７】
本発明に従えば、通常の調理作業においては、昇降五徳を最も下方まで下げて使用するが、調理油や煮汁等がふきこぼれた場合は、昇降機構によって昇降五徳を水平姿勢のままで上昇させて最も上がった位置で保持することができる。これにより、昇降五徳を手で持たなくてもよいので、五徳全体が完全に冷えてしまうまで待つ必要がなく、結果、煮汁等がこびりつく前に天板の清掃を容易に行なうことができるものであり、しかも昇降五徳の最も上昇した位置では昇降五徳は傾くことなく水平姿勢のままで保持されるため、バーナー部周辺の天板の手入れが一層容易となる。
【０００８】
また請求項２記載の発明は、請求項１記載の効果に加えて、前記バーナー部に、鍋底温度を測定する上下動可能な鍋底センサーと、鍋底センサーの高さ検知を行なうセンサー高さ検知装置とが設けられ、鍋底センサーが下がっている時には昇降五徳を上昇不能となるように構成したことを特徴とする。
【０００９】
本発明に従えば、鍋底センサーが下がっていると検知された時は昇降五徳の上に鍋等の重量物があると判断し、昇降五徳を上昇不能となるように制御することで、誤って昇降機構を操作しようとしても昇降五徳が上昇することがなく、安全性を高めることができる。
【００１０】
また請求項３記載の発明は、請求項２記載の効果に加えて、前記昇降五徳に鍋底センサーを外側から囲むように遮熱壁を設けたことを特徴とする。
【００１１】
本発明に従えば、昇降五徳に鍋底センサーを囲むための遮熱壁を設けることで、鍋底センサーとその周囲とを遮熱することができ、これにより、鍋底センサーは鍋底以外の周囲からの熱を拾いにくくすることができるので、鍋底センサーが精度良く鍋底の温度を検知できるようになる。
【００１２】
また請求項４記載の発明は、請求項１乃至請求項３のいずれかに記載の効果に加えて、前記昇降五徳の高さ検知を行なう五徳高さ検知装置を備え、昇降五徳が所定高さにある時のみバーナー部を燃焼可能とすることを特徴とする。
【００１３】
本発明に従えば、昇降五徳が上がった状態にあることを検知したときには、例えばガス電磁弁を閉状態に保ち、点火不能とする。これにより、昇降五徳が上がった状態でバーナー部が点火されることを防止できる。
【００１４】
また請求項５記載の発明は、請求項１乃至請求項４のいずれかに記載の効果に加えて、前記昇降五徳は、放射状に延出した爪部の先端部分に下向きに突出した脚部を備え、昇降五徳の下降時において前記脚部の下端をバーナー部周辺の天板部分で支持可能としたことを特徴とする。
【００１５】
本発明に従えば、昇降五徳の下降時に脚部の下端を天板部分で支えることができ、昇降五徳の下降時の安定性を高めることができる。
【００１６】
また請求項６記載の発明は、請求項５記載の効果に加えて、前記昇降五徳の脚部に天板部分との衝撃を緩和する緩衝部材を取り付けたことを特徴とする。
【００１７】
本発明に従えば、昇降五徳を下げた時でも昇降五徳の脚部と天板との衝撃を緩衝部材にて緩和できるので、昇降五徳の下降時の安定性を脚部によって向上させることができるものでありながら、昇降五徳を下げた時に脚部と天板との衝撃による天板の損傷を防止できると共に、騒音を防止できるようになる。
【００１８】
また請求項７記載の発明は、請求項１乃至請求項６のいずれかに記載の効果に加えて、前記昇降五徳にやけどを防止する部材を取り付けたことを特徴とする。
【００１９】
本発明に従えば、バーナー部周辺の清掃時に手が昇降五徳に接触しても手をやけどを回避できるようになる。
【００２０】
【発明の実施の形態】
以下、本発明を添付図面に示す実施形態に基づいて説明する。
【００２１】
図１（ａ）はバーナー部１に配置される昇降五徳２とその昇降機構４を説明する断面図であり、図１（ｂ）（ｃ）は昇降五徳２の平面図及び側面図であり、図２はバーナー部１を３個備えた場合のビルトインタイプのコンロ５の斜視図である。コンロ５の天板３の所定箇所（図２の例では３箇所）には開口部６が形成され、各開口部６にバーナー部１が設置されている。なお、バーナー部１の数は特に問わないものとする。
【００２２】
バーナー部１は、図１（ａ）に示すように、複数個の炎口７（図２）が放射状に設けられた環状のガス混合管８と、ガス混合管８上に載置される環状のバーナーキャップ９とで構成されている。図１（ａ）中の１０は天板３とガス混合管８との隙間に介在されるパッキンである。
【００２３】
バーナー部１には昇降五徳２が配置される。昇降五徳２は、図１（ｂ）、（ｃ）に示すように、側面視で略Ｔ字型をしており、中央の円盤部１１と、円盤部１１から横方向（少なくとも３方向）に放射状に延出する複数の爪部１２と、円盤部１１の中央から下方に突出する円柱部１３とが一体に形成されている。円柱部１３は、図１（ａ）に示す環状のバーナー部１の内側開口部１４を貫通しており、円柱部１３の下端が昇降機構４を介してコンロ本体の下枠１５に固定されている。
【００２４】
前記昇降機構４は、昇降五徳２を水平姿勢のままで上下動可能とすると共に最も上がった位置及び最も下がった位置で昇降五徳２を各々水平保持するためのものであり、本例では電磁式で構成されている。電磁式の昇降機構４は、図３に示すように、昇降五徳２の円柱部１３の下端に接する昇降台１７と、コンロ本体の下枠１５に固定される支持台１８と、昇降台１７を支持台１８に対して上方に付勢するためのバネ１９と、バネ１９を上下方向に伸縮させる電磁石２１と永久磁石２２とで構成されている。ここでは、昇降台１７は下方に開口した筒形に形成されていると共に、昇降台１７の下端開口から内方に向かって内向きフランジ１８ａが突設されている。一方、支持台１８は昇降台１７の内側に収納され、支持台１８の中央部が支柱２３を介してコンロ本体の下枠１５に固定されている。昇降台１７の内向きフランジ１８ａと支持台１８の外周部との間はバネ１９を介してつながっている。さらに、昇降台１７の内向きフランジ１８ａには電磁石２１が取着され、支持台１８の外周部には電磁石２１と相対する永久磁石２２が取着されている。なお電磁石２１を支持台１８の外周部、永久磁石２２を昇降台１７の内向きフランジ１８ａに固定してもよい。昇降機構４の操作スイッチ（図示せず）を操作して電磁石２１に電流を流すと、図３（ｂ）のように相対する方向に配置された電磁石２１と永久磁石２２の吸着力の働きでバネ１９が縮まり、昇降台１７及び昇降五徳２が自動的に上昇するようになり、また電磁石２１への電流を切るとバネ１９の力で双方の磁石２１，２２が離れ、図３（ａ）のように昇降台１７及び昇降五徳２が元の位置まで自動的に下降するようになっている。
【００２５】
上記構成によれば、通常の調理作業においては、昇降五徳２を最も下方まで下げて使用する。この状態では、バーナー部１と昇降五徳２上に載せられた鍋底との距離は、通常の五徳を使用した場合と同程度になる。調理油や煮汁等がふきこぼれた場合は、昇降五徳２から鍋を一旦降ろし、昇降機構４の操作スイッチを操作する。すると双方の磁石２１，２２が吸引されることで、昇降五徳２は水平姿勢のままで上昇し且つ最も上がった位置で保持されるようになる。これにより、昇降五徳２を手で持ち上げなくてもよいので、昇降五徳２全体が完全に冷えてしまうまで待つ必要がなく、従って、煮汁等がこびりつく前に天板３の清掃を容易に行なうことができる。しかも昇降五徳２を傾けることなく水平姿勢のままで上昇位置で保持できるできるので、バーナー部１周辺の天板３の手入れが一層容易となる。清掃後は、スイッチ操作によって電磁石２１への電流を切ると、昇降五徳２はバネ１９の力で下降して、最も下がった位置で水平保持されるようになる。従って、昇降五徳２を手で持つことなく、加熱調理可能な状態に即座に戻すことができる。
【００２６】
また本例では、昇降五徳２の円柱部１３をバーナー部１の内側開口部１４を貫通させて、その下端部を昇降機構４を介してコンロ本体の下枠１５に固定してあるので、昇降五徳２の円柱部１３が下枠１５に対して安定支持された構造となり、昇降五徳２の下降時の安定性が高められる。これに伴い、昇降五徳２は安定良く上下動可能な状態となると共に、昇降五徳２の爪部１２の横方向への延出量を大きくすることが可能となるため、底面積の広い鍋でも安定性がきわめて良好な昇降五徳２が得られるようになる。そのうえ、爪部１２は先端部分の下方が開放されているため、昇降五徳２が最も上に上がった位置で爪部１２の下側に手を入れ易くなり、清掃が一層容易となる。
【００２７】
さらに本例では、昇降機構４は昇降五徳２の円柱部１３の下端に配置されているので、バーナー部１の燃焼熱によって昇降機構４の電磁石２１のリード線が加熱される心配もなく、そのうえ昇降機構４は外部に露出しないため、見栄えも良くなる。そのうえ昇降機構４は、昇降台１７と支持台１８とバネ１９と電磁石２１と永久磁石２２とを組み合わせるだけで、容易に且つ安価に製作できるという利点もある。
【００２８】
図４〜図６は昇降機構４の他の実施形態を示している。先ず図４はカム式の昇降機構４であり、昇降五徳２の円柱部１３の下端に接するカム２５と、コンロ本体の下枠１５に固定される支持台１８’と、カム２５と支持台１８’とを連結するカムシャフト２６とで構成されている。カムシャフト２６を回転させるとカム２５が回転し、カム２５の回転に合わせて昇降五徳２が上昇（図４（ｂ）の状態）或いは下降（図４（ａ）の状態）する。ここで、カムシャフト２６は、回転つまみにより手動で回転させてもよいが、ステッピングモータで電気的に駆動させるようにしてもよい。
【００２９】
図５はバネ式の昇降機構４であり、昇降五徳２の円柱部１３の下端に接する昇降台１７と、コンロ本体の下枠１５に固定される支持台１８と、昇降台１７を支持台１８に対して上方に付勢するためのバネ１９と、昇降台１７を下降位置で保持する操作つまみ２７とで構成されている。ここでは、昇降台１７は下方に開口した筒状に形成されている。一方、支持台１８は、昇降台１７の内側に収納されており、支持台１８の中央部から下方に突出した支柱２３がコンロ本体の下枠１５に固定されている。昇降台１７と支持台１８の外周部との間はバネ１９を介してつながっている。昇降台１７の外周下端には突状の引掛部２８が設けられ、その引掛部２８に操作つまみ２７に設けた引掛棒２９を引掛ることで、昇降台１７がバネ１９によって上昇するのが抑えられる。引掛棒２９は復帰バネ２０を介してコンロ本体の壁面３０に固定されている。操作つまみ２７によって引掛棒２９を壁面３０方向に引っ張ると、昇降台１７の引掛部２８が開放状態となり、図５（ｂ）のようにバネ１９の力で昇降台１７及び昇降五徳２が自動的に上昇するようになっている。また上昇した昇降五徳２を押し下げると、図５（ａ）のように昇降台１７の引掛部２８が下降して引掛棒２９に引掛かった状態となる。このとき、引掛棒２９は復帰バネ２０のバネ力で引掛部２８に引掛った状態で保持されるので、昇降台１７及び昇降五徳２は元の位置で保持されるようになる。なお操作つまみ２７による引掛棒２９の移動操作は手動でも電動でも可能である。
【００３０】
図６はラッチ式の昇降機構４であり、昇降五徳２の円柱部１３の下端に接する昇降台１７’と、コンロ本体の下枠１５に固定される支持台１８”と、昇降台１７’を支持台１８”に対して最も上昇した位置又は最も下降した位置のいずれかで保持するラッチ機構とで構成されている。ここでは、昇降台１７’は柱状に形成されており、支持台１８”は昇降台１７’の下部が上下移動自在に収納される箱形に形成されている。支持台１８”には側面視で略Ｊ字形のガイド溝３１が設けられると共に、昇降台１７’の下部を上方に付勢するバネ（図示せず）が内蔵されている。昇降台１７’の下部にはガイド溝３１にガイドされる突起部３２が突設されており、ガイド溝３１に沿って突起部３２が上下移動可能となっている。本例のラッチ機構は、一般のプッシュ式ボールペンと同様な仕組みであり、昇降五徳２を一度押し下げると、図６（ｂ）のように突起部３２がガイド溝３１に沿って上昇することで昇降台１７’及び昇降五徳２が最も上昇した状態で保持されるようになり、昇降五徳２をもう一度押し下げると、図６（ａ）のように突起部３２がガイド溝３１に沿って下降して昇降台１７’及び昇降五徳２が下降位置で保持されるようになっている。
【００３１】
次に、鍋底センサー３３を備えた場合の実施形態を説明する。図７はその一例であり、昇降五徳２の上面を円環部１１’で形成すると共に、円柱部１３’を中空筒状に形成し、円柱部１３’の中空部３５内から円環部１１’内を通して、鍋底の温度を測定する鍋底センサー３３（温度センサー）を上下動可能に配置してある。この鍋底センサー３３は昇降五徳２の上に鍋等の重量物が載置されたときは調理物の温度を鍋底を介して測定するものである。鍋底センサー３３の下方には、鍋底センサー３３が下がったことを検知するためのセンサー高さ検知装置を構成するマイクロスイッチ３６が設けられている。鍋底センサー３３及びマイクロスイッチ３６は、それぞれ、電装部３７に接続されている。電装部３７のマイクロコンピュータは、鍋底センサー３３からの入力を基に、ガス通路部の温度制御を行なうものである。ここで、昇降五徳２の上に鍋があると、鍋底センサー３３が図７の矢印方向Ｅに下がってマイクロスイッチ３６がＯＮとなり、一方、鍋等がなく鍋底センサー３３が図７の矢印方向Ｆに上がっているとマイクロスイッチ３６はＯＦＦになる。これにより、昇降五徳２の上に鍋等があるかどうかがマイクロスイッチ３６のＯＮ／ＯＦＦで判別できるようになっている。さらに、電装部３７のマイクロコンピュータは、昇降五徳２の上に鍋等がなく鍋底センサー３３が上がっている時のみ、つまりマイクロスイッチ３６がＯＦＦの時のみ、昇降五徳２を上昇可能な状態とし、一方、鍋底センサー３３が下がっている時、つまりマイクロスイッチ３６がＯＮの時には、昇降五徳２の上に鍋等の重量物があると判断し、昇降五徳２を上昇不能な状態となるように制御する。これにより、昇降五徳２に鍋が載置されると、鍋底センサー３３の感熱部が鍋底に当接して鍋底センサー３３全体が押し下げられるため、この状態で誤って昇降機構４を操作した場合でも昇降五徳２は上昇不能な状態となるため、昇降五徳２が不意に上昇することがなく、使用の安全性を確保できるものである。
【００３２】
さらに、図７に示す例では、昇降五徳２の円環部１１’の全周に亘って鍋底センサー３３を外から囲むようにリング形状の小壁からなる遮熱壁３８が設けられている。ちなみに、鍋底センサー３３は鍋底以外の周囲からの熱も拾いやすく、それが誤作動の一因となっている。そこで本例では、遮熱壁３８を鍋底センサー３３を囲むように設けているので、鍋底センサー３３とその周囲とを遮熱することができ、これにより、鍋底センサー３３は鍋底以外の周囲からの熱を拾いにくくなるので、鍋底センサー３３が精度良く鍋底の温度を検知でき、検知精度を向上させることができる利点がある。そのうえ円環部１１’の全周にリング形状の小壁を設けるだけで遮熱壁３８を簡単に形成できるという利点もある。
【００３３】
次に、昇降五徳２の高さ位置を検知するための五徳高さ検知装置３９を設け、昇降五徳２が所定高さにあるときのみバーナー部１を燃焼可能とする場合の実施形態を説明する。図８（ａ）〜（ｃ）はその一例を示している。ちなみに、昇降五徳２が上に上がった状態でバーナー部１を点火すると、不完全燃焼を起す恐れがあるため、本例ではそれを防止する目的で昇降五徳２の高さ検知を行なう五徳高さ検知装置３９を設けたものである。先ず図８（ａ）は、マイクロスイッチ方式の五徳高さ検知装置３９Ａを示しており、ガス混合管８の一部（図ではガス混合管８の下端部）にマイクロスイッチ４０を設け、昇降五徳２が下降すると円柱部１３の下端がマイクロスイッチ４０を押してＯＮとなり、昇降五徳２が上昇すると円柱部１３の下端がマイクロスイッチ４０から離れてＯＦＦとなり、このようなマイクロスイッチ４０のＯＮ／ＯＦＦによって昇降五徳２の昇降を検知できる構造となっている。図８（ｂ）は、リードスイッチ方式の五徳高さ検知装置３９Ｂを示しており、ガス混合管８の一部（図ではガス混合管８の下端部）に電磁石４２（又は永久磁石４１）を固定し、昇降五徳２の円柱部１３の下端に永久磁石４１（又は電磁石４２）を固定し、昇降五徳２と一緒に永久磁石２２が昇降することによりリードスイッチがＯＮ／ＯＦＦとなり、昇降五徳２の昇降を検知できる構造となっている。図８（ｃ）は、フォトカプラ方式の五徳高さ検知装置３９Ｃを示しており、ガス混合管８の一部（図ではガス混合管８の下端部）の相対する位置に配置した発光部４３と受光部４４とを備え、昇降五徳２が上がった状態では円柱部１３が上昇して発光部４３からの光を受光部４４が検知可能となり、昇降五徳２が下がった状態では発光部４３からの光が円柱部１３で遮られて受光部４４が検知不能となり、このような検知可否によって昇降五徳２の昇降を検知できる構造となっている。
【００３４】
しかして、図８の例によれば昇降五徳２の五徳高さ検知装置３９Ａ〜３９Ｃ（マイクロスイッチ、リードスイッチ、フォトカプラ）からの信号は、電装部３７のマイクロコンピュータに送られ、昇降五徳２が下がった状態にあることを示す検知信号があった場合のみ、電装部３７はガス電磁弁を開状態に保ち、点火させることができるようにする。一方、昇降五徳２が上がった状態にあることを示す検知信号があった場合は、電装部３７はガス電磁弁を閉状態に保ち、点火不能とする。これにより、昇降五徳２が上がった状態でバーナー部１が点火される心配をなくすことができる。
【００３５】
次に、昇降五徳２の爪部１２の先端部分から下向きに突出した脚部４５を備え、脚部４５の下端を天板３部分で支える構造とした場合の実施形態を説明する。図９はその一例を示している。昇降五徳２の下降時に脚部４５を天板３で支えることで、昇降五徳２の下降時の安定性を高めることができる。これにより、底面積の広い鍋でもより安定して支持できる構造となる。また図９の例では、昇降五徳２の脚部４５の下端に天板３との衝撃を緩和する緩衝部材４６を設けている。ここでは、緩衝部材４６として例えば、ゴム或いは樹脂のキャップが使用されている。ちなみに、昇降五徳２の安定性を高めるために、昇降五徳２の爪部１２の先端から下方に脚部４５を突出させると、昇降五徳２の下降時に脚部４５と天板３との衝撃で天板３に傷をつけたり、衝撃音が発生するという問題がある。そこで、昇降五徳２の脚部４５にゴム或いは樹脂のキャップからなる緩衝部材４６を装着することで、脚部４５と天板３との衝撃を緩和できる結果、昇降五徳２の下降時の安定性を脚部４５によって向上させることができるものでありながら、昇降五徳２を下げた時に脚部４５と天板３との衝撃による天板３の損傷を防止できると共に騒音を防止できるようになる。さらに緩衝部材４６は、昇降五徳２の清掃時において昇降五徳２の脚部４５に手が接触した場合に、やけどを防止する機能も兼ね備えている。つまり、昇降五徳２を上昇させてバーナー部１の周辺を清掃する際に、手が昇降五徳２の脚部４５に触れるとやけどをしやすくなるが、脚部４５にゴム或いは樹脂のキャップを装着することでやけどを回避できる。また本例では緩衝部材４６がやけど防止材を兼用しているので、部品数の増加を防止できるという利点もある。なお、緩衝部材４６は脚部４５の下端部のみに限らず、脚部４５全体に装着したり、或いは脚部４５以外に装着してもよい。これにより、昇降五徳２の下降時の安定性を脚部４５によって向上させつつ、バーナー部１周辺の清掃を安全に行なうことができるものである。
【００３６】
【発明の効果】
上述のように請求項１記載の発明によれば、バーナー部に配置される昇降五徳と、前記昇降五徳を水平姿勢のままで上下動可能とすると共に最も上昇した位置と最も下降した位置とで各々保持するための昇降機構とを具備するので、調理油や煮汁等がふきこぼれた場合は、昇降機構によって昇降五徳を上昇させて最も上がった位置で水平姿勢のままで保持することができる。これにより、手で昇降五徳をつかまなくてもよいので、五徳全体が完全に冷えてしまうまで待つ必要がなく、結果、煮汁等がこびりつく前に天板の清掃を容易に行なうことができるものであり、しかも昇降五徳の最も上昇した位置では昇降五徳は傾くことなく水平姿勢のままで保持されているため、バーナー部周辺の天板の手入れが一層容易となり、使い勝手が大幅に向上するものである。
【００３７】
また請求項２記載の発明によれば、請求項１記載の効果に加えて、前記バーナー部に、鍋底温度を測定する上下動可能な鍋底センサーと、鍋底センサーの高さ検知を行なうセンサー高さ検知装置とが設けられ、鍋底センサーが下がっている時には昇降五徳を上昇不能となるように構成したので、鍋底センサーが下がっていると検知された時は昇降五徳の上に鍋等の重量物があると判断し、昇降五徳を上昇不能となるように制御することで、誤って昇降機構を操作しようとしても昇降五徳が上昇することがなく、使用時における安全性を確保できるものである。
【００３８】
また請求項３記載の発明によれば、請求項２記載の効果に加えて、前記昇降五徳に鍋底センサーを外側から囲むように遮熱壁を設けたので、遮熱壁によって鍋底センサーとその周囲とを遮熱することができ、これにより、鍋底センサーは鍋底以外の周囲からの熱を拾いにくくすることができるので、鍋底センサーが精度良く鍋底の温度を検知でき、鍋底センサーの検知精度を向上させることができ、さらに遮熱壁を昇降五徳に設けたことによって、バーナー部側に遮熱壁を設ける場合と比較して、バーナー部の構造を簡素化できるものである。
【００３９】
また請求項４記載の発明によれば、請求項１乃至請求項３のいずれかに記載の効果に加えて、前記昇降五徳の高さ検知を行なう五徳高さ検知装置を備え、昇降五徳が所定高さにある時のみバーナー部を燃焼可能とするので、昇降五徳が上がった状態にあることを検知したときには、例えばガス電磁弁を閉状態に保ち、点火不能とすることによって、昇降五徳が上がった状態でバーナー部が点火される心配がなくなり、安全性を十分に確保できるものである。
【００４０】
また請求項５記載の発明によれば、請求項１乃至請求項４のいずれかに記載の効果に加えて、前記昇降五徳は、放射状に延出した爪部の先端部分に下向きに突出した脚部を備え、昇降五徳の下降時において前記脚部の下端をバーナー部周辺の天板部分で支持可能としたので、昇降五徳の下降時に脚部の下端を天板部分で支えることができ、昇降五徳の下降時の安定性を高めることができる。これにより、底面積の広い鍋でもより安定して支持できる構造となる。
【００４１】
また請求項６記載の発明によれば、請求項５記載の効果に加えて、前記昇降五徳の脚部に天板部分との衝撃を緩和する緩衝部材を取り付けたので、昇降五徳を下げた時でも昇降五徳の脚部と天板との衝撃を緩衝部材にて緩和でき、結果、昇降五徳の下降時の安定性を脚部によって向上させることができるものでありながら、昇降五徳を下げた時に脚部と天板との衝撃による天板の損傷を防止できると共に、騒音を防止できるものである。
【００４２】
また請求項７記載の発明によれば、請求項１乃至請求項６のいずれかに記載の効果に加えて、前記昇降五徳にやけどを防止する部材を取り付けたので、バーナー部周辺の清掃時に手が昇降五徳に接触した場合でも手をやけどする危険を回避でき、安全に清掃ができるものである。
【図面の簡単な説明】
【図１】（ａ）は本発明の一実施形態のバーナー部に配置される昇降五徳及びその昇降機構を説明する断面図、（ｂ）は昇降五徳の平面図、（ｃ）は側面図である。
【図２】同上のバーナー部を３個備えた場合のコンロの斜視図である。
【図３】（ａ）（ｂ）は同上の昇降機構の動作の説明図である。
【図４】（ａ）（ｂ）は他の実施形態の昇降機構の動作の説明図である。
【図５】（ａ）（ｂ）は更に他の実施形態の昇降機構の動作の説明図である。
【図６】（ａ）（ｂ）は更に他の実施形態の昇降機構の動作の説明図である。
【図７】同上の昇降五徳に遮熱壁を設けた実施形態の断面図である。
【図８】（ａ）は同上の五徳高さ検知装置の一例を説明する断面図、（ｂ）は他例を説明する断面図、（ｃ）は更に他例を説明する断面図である。
【図９】同上の昇降五徳の脚部に緩衝部材を設けた実施形態の断面図である。
【図１０】従来例を説明する断面図である。
【符号の説明】
１  バーナー部
２  昇降五徳
３  天板
４  昇降機構
１１  円盤部
１２  爪部
１３  円柱部
３３  鍋底センサー
３８  遮熱壁
３９  五徳高さ検知装置
４５  脚部
４６  緩衝部材
【図１】
2004245553.tif 000003
【図２】
2004245553.tif 000004
【図３】
2004245553.tif 000005
【図４】
2004245553.tif 000006
【図５】
2004245553.tif 000007
【図６】
2004245553.tif 000008
【図７】
2004245553.tif 000009
【図８】
2004245553.tif 000010
【図９】
2004245553.tif 000011
【図１０】
2004245553.tif 000012